(57)【要約】【課題】フレーム材に囲まれた空間に対し化粧板を容易に着脱でき、化粧板が伸縮しても撓みを生じにくい台所用キャビネットを提供する。【解決手段】棒状の縦フレーム材２０及び横フレーム材２１を組み合わせて形成されるキャビネット本体１０と、キャビネット本体１０に取付けられる化粧板４０と、を有する台所用キャビネットにおいて、キャビネット本体１０には、少なくとも４本の縦フレーム材２０が、平面視方形状の四隅部に配置され、縦フレーム材２０の長さ方向中間部には、横フレーム材２１が渡されて連結されることで、平面視方形状の枠状部２２を形成し、枠状部２２の少なくとも一辺の内周側には、裏板部材５０が設けられ、裏板部材５０の外周側に化粧板４０が固定される。【選択図】図６
2019201961.tif 000002
【特許請求の範囲】
【請求項１】
棒状の縦フレーム材及び横フレーム材を組み合わせて形成されるキャビネット本体と、該キャビネット本体に取付けられる化粧板と、を有する台所用キャビネットにおいて、
前記キャビネット本体には複数の前記縦フレーム材が立設され、隣接する縦フレーム材の間には、前記横フレーム材が渡されて連結され、複数の前記横フレーム材により平面視方形状の枠状部が形成され、
前記枠状部の少なくとも一辺の内周側には、裏板部材が設けられ、該裏板部材の外周側に前記化粧板が固定されることを特徴とする台所用キャビネット。
【請求項２】
前記枠状部を形成する前記横フレーム材には、前記枠状部の内周側に向かって突出する固定部材が取付けられ、該固定部材に前記裏板部材が固定されることを特徴とする請求項１に記載の台所用キャビネット。
【請求項３】
前記固定部材は、前記横フレーム材に固定される横フレーム材固定部と、該横フレーム材固定部から内周側に向かって突出する略Ｌ字状の裏板受け部とを有し、該裏板受け部は、前記裏板部材の下面及び内周面に対して当接すると共に、前記裏板部材の内周面に対して固定されることを特徴とする請求項２に記載の台所用キャビネット。
【請求項４】
前記裏板部材は、前記枠状部の四辺にそれぞれ対応する四枚が枠状に連結されて箱状体を形成し、該箱状体が前記枠状部の内周側に配置されて固定されることを特徴とする請求項１〜３のいずれか１項に記載の台所用キャビネット。
【請求項５】
前記化粧板は、前記裏板部材に対して固定されて当該裏板部材の外周側を覆うことを特徴とする請求項１〜４のいずれか１項に記載の台所用キャビネット。
【請求項６】
前記縦フレーム材は、隣接する前記縦フレーム材との間を渡す棚受け材を固定する棚受け材固定部を、長さ方向に沿って複数有することを特徴とする請求項１〜５のいずれか１項に記載の台所用キャビネット。
【請求項７】
前記棚受け材には、棚板材または収納部材が載置または固定されることを特徴とする請求項６に記載の台所用キャビネット。
【発明の詳細な説明】
【技術分野】
【０００１】
本発明は、シンクやコンロなどを設置可能な台所用キャビネットに関し、特に棒状のフレーム材を組み合わせてキャビネット本体を形成し、このキャビネット本体のフレーム材に囲まれた部分に化粧板が設けられる台所用キャビネットに関する。
【背景技術】
【０００２】
台所に設置される台所用キャビネットは、水栓を有したシンクや、コンロを有するコンロ台、食器等を収納する引き出し部などが組み合わされて構成される。かかる台所用キャビネットを簡易な構造で構成したものとして、例えば特許文献１のように、棒状に形成された複数のフレーム材を組み合わせてキャビネット本体を形成し、キャビネット本体の上面に天板を設け、天板にはシンクやコンロを設置するためのコンロ設置部などを形成した台所用キャビネットが知られている。
【先行技術文献】
【特許文献】
【０００３】
【特許文献１】特開２０１７−８６３２７号公報
【発明の概要】
【発明が解決しようとする課題】
【０００４】
フレーム材を組み合わせてキャビネット本体を形成した場合、フレーム材に囲まれた部分は空間となる。この空間に化粧板を設けることで、台所用キャビネットの意匠性を向上させることができる。化粧板としては、木材、樹脂あるいは金属を用いることにより、意匠性を良好にすることができる。
【０００５】
フレーム材に囲まれた空間部分に木材、樹脂あるいは金属からなる化粧板を配置し、化粧板をフレーム材に対して直接固定すると、化粧板が温度変化等により伸縮した際に、化粧板がほとんど変形しないフレーム材に拘束されているため、撓みを生じる可能性がある。また、化粧板は、経年劣化した場合などに取り替える必要があるが、化粧板がフレーム材に直接固定されている場合、着脱に時間を要していた。
【０００６】
本発明は前記課題を鑑みてなされたものであり、フレーム材に囲まれた空間に対し化粧板を容易に着脱でき、化粧板が伸縮しても撓みを生じにくい台所用キャビネットを提供することを目的とする。
【課題を解決するための手段】
【０００７】
前記課題を解決するため、請求項１の発明に係る台所用キャビネットは、棒状の縦フレーム材及び横フレーム材を組み合わせて形成されるキャビネット本体と、該キャビネット本体に取付けられる化粧板と、を有する台所用キャビネットにおいて、
前記キャビネット本体には複数の前記縦フレーム材が立設され、隣接する縦フレーム材の間には、前記横フレーム材が渡されて連結され、複数の前記横フレーム材により平面視方形状の枠状部が形成され、
前記枠状部の少なくとも一辺の内周側には、裏板部材が設けられ、該裏板部材の外周側に前記化粧板が固定されることを特徴として構成されている。
【０００８】
請求項１に係る発明によれば、枠状部の内周側の裏板部材に対して化粧板が固定され、縦フレーム材や横フレーム材に対して化粧板が直接固定されないようにすることができる。
【０００９】
また、請求項２の発明に係る台所用キャビネットは、前記枠状部を形成する前記横フレーム材には、前記枠状部の内周側に向かって突出する固定部材が取付けられ、該固定部材に前記裏板部材が固定されることを特徴として構成されている。
【００１０】
請求項２に係る発明によれば、固定部材に裏板部材が固定されることで、簡易な構造により裏板部材を枠状部の内周側に配置することができる。
【００１１】
さらに、請求項３の発明に係る台所用キャビネットは、前記固定部材は、前記横フレーム材に固定される横フレーム材固定部と、該横フレーム材固定部から内周側に向かって突出する略Ｌ字状の裏板受け部とを有し、該裏板受け部は、前記裏板部材の下面及び内周面に対して当接すると共に、前記裏板部材の内周面に対して固定されることを特徴として構成されている。
【００１２】
請求項３に係る発明によれば、固定部材の裏板受け部により、裏板部材の下辺を支持した上で固定することができ、裏板部材を安定的に固定することができる。
【００１３】
さらにまた、請求項４の発明に係る台所用キャビネットは、前記裏板部材は、前記枠状部の四辺にそれぞれ対応する四枚が枠状に連結されて箱状体を形成し、該箱状体が前記枠状部の内周側に配置されて固定されることを特徴として構成されている。
【００１４】
請求項４に係る発明によれば、裏板部材を箱状体の状態にして枠状部に取付けるので、裏板部材のキャビネット本体に対する取付けを容易にすることができる。
【００１５】
そして、請求項５の発明に係る台所用キャビネットは、前記化粧板は、前記裏板部材に対して固定されて当該裏板部材の外周側を覆うことを特徴として構成されている。
【００１６】
請求項５に係る発明によれば、裏板部材の外周側を化粧板で覆うことにより、意匠性を高くすることができる。
【００１７】
また、請求項６の発明に係る台所用キャビネットは、前記縦フレーム材は、隣接する前記縦フレーム材との間を渡す棚受け材を固定する棚受け材固定部を、長さ方向に沿って複数有することを特徴として構成されている。
【００１８】
請求項６に係る発明によれば、棚受け材の高さ位置を任意に設定することができる。
【００１９】
さらに、請求項７の発明に係る台所用キャビネットは、前記棚受け材には、棚板材または収納部材が載置または固定されることを特徴として構成されている。
【００２０】
請求項７に係る発明によれば、キャビネット本体に棚板材や収納部材を設けることで、小物等の収納機能を持たせることができる。
【発明の効果】
【００２１】
本発明に係る台所用キャビネットによれば、化粧板がキャビネット本体の枠状部の内周側に配置される裏板部材の外周側に固定されるので、化粧板を容易に交換でき、また、化粧板がキャビネット本体に直接拘束されないため、伸縮した場合に撓みを生じにくくすることができる。
【図面の簡単な説明】
【００２２】
【図１】本実施形態に係る台所用キャビネットの斜視図である。
【図２】台所用キャビネットの正面図である。
【図３】図２のＡ−Ａ’断面図である。
【図４】キャビネット本体と箱状体の分解斜視図である。
【図５】横フレーム材と固定部材の拡大分解斜視図である。
【図６】箱状体を固定したキャビネット本体と化粧板との分解斜視図である。
【図７】横フレーム材と裏板部材及び化粧板の固定部分を表した断面図である。
【図８】棚受け材の斜視図である。
【図９】棚部材及び収納部材を設けた台所用キャビネットの斜視図である。
【図１０】第２の実施形態の台所用キャビネットの斜視図である。
【発明を実施するための形態】
【００２３】
本発明の実施形態について図面に沿って詳細に説明する。図１には本実施形態に係る台所用キャビネットの斜視図を、図２には台所用キャビネットの正面図を、図３には図２のＡ−Ａ’断面図を、図４にはキャビネット本体１０と箱状体５１の分解斜視図を、それぞれ示している。これら各図に示すように、本実施形態の台所用キャビネットは、棒状の縦フレーム材２０と横フレーム材２１とを組み合わせて形成される架台状のキャビネット本体１０を有している。キャビネット本体１０の上面には、天板３０が設けられ、天板３０にはシンク１１とコンロ１２が設置される。また、キャビネット本体１０の側面上部には、化粧板４０が取付けられている。本実施形態において化粧板４０は木材で形成されている。この他、化粧板４０は樹脂あるいは金属で形成されていてもよい。
【００２４】
本実施形態において縦フレーム材２０は、８本が立設される。このうち４本の縦フレーム材２０ａ，２０ｃ，２０ｅ，２０ｇは、キャビネット本体１０の前側に配置される。また、残り４本の縦フレーム材２０ｂ，２０ｄ，２０ｆ，２０ｈは、キャビネット本体１０の後側に配置される。縦フレーム材２０ａと縦フレーム材２０ｂ、縦フレーム材２０ｃと縦フレーム材２０ｄ、縦フレーム材２０ｅと縦フレーム材２０ｆ、縦フレーム材２０ｇと縦フレーム材２０ｈは、それぞれキャビネット本体１０の前後において対向する。
【００２５】
隣接する縦フレーム材２０間には、それぞれ横フレーム材２１が渡されて連結されている。縦フレーム材２０と横フレーム材２１との連結は、例えばネジ止めなどによってなされる。横フレーム材２１は、縦フレーム材２０の長さ方向中間部であって、中央位置より上側の位置に配置される。縦フレーム材２０ａと縦フレーム材２０ｂとの間に渡される横フレーム材２１と、縦フレーム材２０ｂと縦フレーム材２０ｃとの間に渡される横フレーム材２１と、縦フレーム材２０ｃと縦フレーム材２０ｄとの間に渡される横フレーム材２１と、縦フレーム材２０ｄと縦フレーム材２０ａとの間に渡される横フレーム材２１との４本により、平面視方形状の枠状部２２が形成される。枠状部２２は、縦フレーム材２０ｃ，２０ｄ，２０ｅ，２０ｆの間に渡される横フレーム材２１によっても形成される。また、枠状部２２は、縦フレーム材２０ｅ，２０ｆ，２０ｇ，２０ｈの間に渡される横フレーム材２１によっても形成される。すなわち、キャビネット本体１０には、横方向に３つの枠状部２２が連設される。
【００２６】
各枠状部２２の内周側には、４枚の裏板部材５０からなる箱状体５１が設けられる。箱状体５１は、４枚の裏板部材５０が、枠状部２２の四辺にそれぞれ対応する方形状に組まれて形成されている。
【００２７】
枠状部２２を形成する横フレーム材２１には、裏板部材５０を固定するための固定部材２４が設けられる。図５には、横フレーム材２１と固定部材２４の拡大分解斜視図を示している。この図に示すように、横フレーム材２１のうち、枠状部２２の内周側に向かう面には、固定孔２１ａが形成されている。
【００２８】
固定部材２４は、横フレーム材２１に対して当接固定される横フレーム材固定部２４ａと、横フレーム材固定部２４ａの上端部から枠状部２２の内周側に向かって突出する略Ｌ字状の裏板受け部２４ｂとを有している。横フレーム材固定部２４ａを横フレーム材２４に対して固定ネジ２５により固定することで、略Ｌ字状の裏板受け部２４ｂが横フレーム材２４の内周側に突出した状態となり、裏板部材５０を下側から受けて固定することができる。
【００２９】
図６には、箱状体５１を固定したキャビネット本体１０と化粧板４０との分解斜視図を示している。この図に示すように、各箱状体５１は、キャビネット本体１０に形成される枠状部２２の内周側に納まった状態となり、箱状体５１を形成する裏板部材５０の外周側には、両側の縦フレーム材２０の上部と横フレーム材２４とに囲まれた空間部Ｓが形成される。この空間部Ｓに対して化粧板４０が取付けられる。
【００３０】
図７には、横フレーム材２４と裏板部材５０及び化粧板４０の固定部分を表した断面図を示している。前述のように、固定部材２４は、横フレーム材固定部２４ａが横フレーム材２４に対して固定ネジ２５で固定され、裏板受け部２４ｂが裏板部材５０に対して固定ネジ２６で固定されている。裏板部材５０の外周側に形成される空間部Ｓには化粧板４０が配置され、化粧板４０は、裏板部材５０の内周側から挿入される固定ネジ５２によって固定される。固定ネジ５２は、裏板部材５０の四隅部にそれぞれ設けられて裏板部材５０に化粧板４０を固定する。ただし、化粧板４０は、裏板部材５０に対して任意の方法で固定可能であり、固定ネジ５２によらず固定されてもよい。
【００３１】
このように、本実施形態では、縦フレーム材２０と横フレーム材２４を組み合わせて形成したキャビネット本体１０に対して化粧板４０を設ける場合に、横フレーム材２４で形成される枠状部２２の内周側に裏板部材５０を固定し、裏板部材５０の外周側に縦フレーム材２０及び横フレーム材２４に囲まれた空間部Ｓを形成し、空間部Ｓに化粧板４０を配置して裏板部材５０に対して固定する構造とした。これにより、化粧板４０はキャビネット本体１０に直接固定されず、裏板部材５０を介して固定されるので、化粧板４０の交換を容易にすることができる。また、化粧板４０が縦フレーム材２０や横フレーム材２４に対して直接固定されないので、温度変化等により化粧板４０が伸縮した場合に、撓みを生じにくくすることができる。
【００３２】
本実施形態の台所用キャビネットには、下部に棚板材６１や収納部材６２を任意に設けることができる。図２に示されているように、奥側の縦フレーム材２０の手前側を向く面には、棚受け材固定部２０ａが長さ方向に沿って複数設けられている。また、手前側の縦フレーム材２０の奥側を向く面にも、同様に棚受け材固定部２０ａが長さ方向に沿って複数設けられている。
【００３３】
図８には、棚受け材６０の斜視図を示している。棚受け材６０は、キャビネット本体１０を構成する奥側の縦フレーム材２０と手前側の縦フレーム材２０との間に渡されるものである。図８に示すように、棚受け材６０は、両端部に固定部６０ａ，６０ａを有している。固定部６０ａは、縦フレーム材２０の棚受け材固定部２０ａに対してネジ止めにより固定することができる。縦フレーム材２０には、長さ方向に沿って複数の棚受け材固定部２０ａが形成されているので、棚受け材６０は、縦フレーム材２０に対して任意の高さに取付けることができる。
【００３４】
図９には、棚部材６１及び収納部材６２を設けた台所用キャビネットの斜視図を示している。棚受け材６０は、各縦フレーム材２０の高さ方向任意の位置に固定される。図９では、奥行方向に対向する各縦フレーム材２０の間には、同じ高さ位置に棚受け材６０が固定されており、図中手前側の棚受け材６０の上には、板状の棚部材６１が２枚載置されている。また、図中奥側の棚受け材６０には、収納部材６２が固定されている。収納部材６２が固定されている縦フレーム材２０には、上部に別の棚受け材６０が固定されており、この上部の棚受け材６０にも収納部材６２が固定されている。すなわち、収納部材６２は縦フレーム材２０の上下に２つが固定されている。収納部材６２は、網状の部材で籠状に形成されており、キッチンで使用する鍋等の小物を入れておくことができる。収納部材６２は、図９のように網状の部材で形成されているものの他、板材等によりボックス状に形成されていてもよい。
【００３５】
棚受け材６０は、縦フレーム材２０の長さ方向の任意の位置に固定できるので、棚部材６１や収納部材６２の高さ位置を自由に変更することができる。また、必要に応じて棚受け材６０に載置または固定する部材を変更することもできるし、棚受け材６０の数を変更することで、これらの数も変更できる。このように、縦フレーム材２０の高さ方向任意の位置に棚受け材６０を固定して、棚受け材６０に棚部材６１や収納部材６２を載置または固定することで、棚部材６１や収納部材６２を必要に応じた数及び配置で台所用キャビネットに設けることができる。
【００３６】
図１０には、第２の実施形態の台所用キャビネットの斜視図を示している。この図に示すように、本実施形態の台所用キャビネットは、横方向に３本の縦フレーム材２０を配置したキャビネット本体１５を有している。キャビネット本体１５には、第１の実施形態と同様の構造により、化粧板４０が取付けられている。キャビネット本体１５の天面に設けられる天板３５には、シンク１１とコンロ１２が隣接して配置されている。このように、横方向に連設する縦フレーム材２０の本数により、キャビネット本体１５の幅を変更することができ、この場合にも、裏板部材５０を用いた固定構造により化粧板４０をキャビネット本体１５に設けることができる。なお、縦フレーム材２０を横方向に５本以上連設してより横長のキャビネット本体を形成することもできる。また、このように横幅の異なる台所用キャビネットに対しても、棚受け材６０を設けて、棚部材６１や収納部材６２を載置または固定することもできる。
【００３７】
以上、本発明の実施形態について説明したが、本発明の適用は本実施形態には限られず、その技術的思想の範囲内において様々に適用されうるものである。
【符号の説明】
【００３８】
１０    キャビネット本体
１１    シンク
１２    コンロ
１５    キャビネット本体
２０    縦フレーム材
２０ａ  棚受け材固定部
２１    横フレーム材
２１ａ  固定孔
２２    枠状体
２３    下部横フレーム材
２４    固定部材
２４ａ  横フレーム材固定部
２４ｂ  裏板受け部
２５    固定ネジ
２６    固定ネジ
３０    天板
３１    シンク設置部
３２    コンロ設置部
３５    天板
４０    化粧板
５０    裏板部材
５１    箱状体
５２    固定ネジ
６０    棚受け材
６０ａ  固定部
６１    棚板材
６２    収納部材
【図１】
2019201961.tif 000003
【図２】
2019201961.tif 000004
【図３】
2019201961.tif 000005
【図４】
2019201961.tif 000006
【図５】
2019201961.tif 000007
【図６】
2019201961.tif 000008
【図７】
2019201961.tif 000009
【図８】
2019201961.tif 000010
【図９】
2019201961.tif 000011
【図１０】
2019201961.tif 000012
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
棒状の縦フレーム材及び横フレーム材を組み合わせて形成されるキャビネット本体と、該キャビネット本体に取付けられる化粧板と、を有する台所用キャビネットにおいて、
前記キャビネット本体には複数の前記縦フレーム材が立設され、隣接する縦フレーム材の間には、前記横フレーム材が渡されて連結され、複数の前記横フレーム材により平面視方形状の枠状部が形成され、
前記枠状部の少なくとも一辺の内周側には、裏板部材が設けられ、該裏板部材の外周側に前記化粧板が固定され、
前記枠状部を形成する前記横フレーム材には、前記枠状部の内周側に向かって突出する固定部材が取付けられ、該固定部材に前記裏板部材が固定されることを特徴とする台所用キャビネット。
【請求項２】
前記固定部材は、前記横フレーム材に固定される横フレーム材固定部と、該横フレーム材固定部から内周側に向かって突出する略Ｌ字状の裏板受け部とを有し、該裏板受け部は、前記裏板部材の下面及び内周面に対して当接すると共に、前記裏板部材の内周面に対して固定されることを特徴とする請求項１に記載の台所用キャビネット。
【請求項３】
前記裏板部材は、前記枠状部の四辺にそれぞれ対応する四枚が枠状に連結されて箱状体を形成し、該箱状体が前記枠状部の内周側に配置されて固定されることを特徴とする請求項１または２に記載の台所用キャビネット。
【請求項４】
前記化粧板は、前記裏板部材に対して固定されて当該裏板部材の外周側を覆うことを特徴とする請求項１〜３のいずれか１項に記載の台所用キャビネット。
【請求項５】
前記縦フレーム材は、隣接する前記縦フレーム材との間を渡す棚受け材を固定する棚受け材固定部を、長さ方向に沿って複数有することを特徴とする請求項１〜４のいずれか１項に記載の台所用キャビネット。
【請求項６】
前記棚受け材には、棚板材または収納部材が載置または固定されることを特徴とする請求項５に記載の台所用キャビネット。
【手続補正２】
【補正対象書類名】明細書
【補正対象項目名】０００７
【補正方法】変更
【補正の内容】
【０００７】
前記課題を解決するため、請求項１の発明に係る台所用キャビネットは、棒状の縦フレーム材及び横フレーム材を組み合わせて形成されるキャビネット本体と、該キャビネット本体に取付けられる化粧板と、を有する台所用キャビネットにおいて、
前記キャビネット本体には複数の前記縦フレーム材が立設され、隣接する縦フレーム材の間には、前記横フレーム材が渡されて連結され、複数の前記横フレーム材により平面視方形状の枠状部が形成され、
前記枠状部の少なくとも一辺の内周側には、裏板部材が設けられ、該裏板部材の外周側に前記化粧板が固定され、
前記枠状部を形成する前記横フレーム材には、前記枠状部の内周側に向かって突出する固定部材が取付けられ、該固定部材に前記裏板部材が固定されることを特徴として構成されている。
【手続補正３】
【補正対象書類名】明細書
【補正対象項目名】０００８
【補正方法】変更
【補正の内容】
【０００８】
請求項１に係る発明によれば、枠状部の内周側の裏板部材に対して化粧板が固定され、縦フレーム材や横フレーム材に対して化粧板が直接固定されないようにすることができる。また、固定部材に裏板部材が固定されることで、簡易な構造により裏板部材を枠状部の内周側に配置することができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】